(57)【要約】  【課題】ラベル連続体の剥離力が強い場合でも、剥離部における台紙のテンションを調整可能とし、剥離部のラベル連続体の浮き上がりを防止して、台紙からラベル片を安定して剥離可能なラベル自動剥離装置を提供すること。  【解決手段】剥離部から台紙巻取り部に向かう剥離部の下流側で、転向された台紙に所定の張力を常に付与可能とすることに着目したもので、帯状の台紙と、台紙に仮着する複数枚のラベル片と、からなるラベル連続体を移送路に沿って移送するとともに、台紙のみを転向させる剥離部と、転向された台紙を巻き取る台紙巻取り部と、を有し、剥離部において台紙からラベル片を剥離するためのラベル自動剥離装置であって、剥離部から台紙巻取り部に向かう剥離部の下流側にラベルテンション保持部材を設け、台紙巻取り部による台紙の巻取り動作に応じて台紙の巻取りテンションを保持可能としたことを特徴とする。【選択図】図１
2010006588.tif 000002
【特許請求の範囲】
【請求項１】
帯状の台紙と、この台紙に仮着する複数枚のラベル片と、からなるラベル連続体を移送路に沿って移送するとともに、
前記台紙のみを転向させる剥離部と、
転向された前記台紙を巻き取る台紙巻取り部と、を有し、
前記剥離部において前記台紙から前記ラベル片を剥離するためのラベル自動剥離装置であって、
前記剥離部から前記台紙巻取り部に向かう前記剥離部の下流側にラベルテンション保持部材を設け、前記台紙巻取り部による前記台紙の巻取り動作に応じて前記台紙の巻取りテンションを保持可能としたことを特徴とするラベル自動剥離装置。
【請求項２】
前記台紙の巻取り動作中の移送路から外れる方向に向かって前記ラベルテンション保持部材を付勢する付勢部材を設けたことを特徴とする請求項１記載のラベル自動剥離装置。
【請求項３】
前記ラベルテンション保持部材は、
前記台紙の巻取り動作中の移送路から外れる方向に向かってたわむような弾性を有することを特徴とする請求項１記載のラベル自動剥離装置。
【請求項４】
前記ラベルテンション保持部材は、
前記台紙の巻取り動作を停止している運転停止時の第１の移送路と、
前記台紙を巻き取る動作を行っている通常運転時の第２の移送路と、の間で前記台紙の前記巻取りテンションを一定のレベル範囲内に保持可能としたことを特徴とする請求項１記載のラベル自動剥離装置。
【請求項５】
前記剥離部の上方に、前記ラベル連続体を前記剥離部に向かって押さえ付け可能なラベル押さえ板を設けたことを特徴とする請求項１記載のラベル自動剥離装置。
【発明の詳細な説明】
【技術分野】
【０００１】
本発明はラベル自動剥離装置にかかるもので、とくに帯状の台紙に仮着したベル片を自動的に剥離して所定の物品に貼り付け可能とするためのラベル自動剥離装置に関するものである。
【背景技術】
【０００２】
従来のラベル自動剥離装置１について、図３および図４にもとづき概説する。
図３は、ラベル自動剥離装置１の概略側面図であって、ラベル自動剥離装置１は、ラベル連続体２の供給部３と、移送路４と、印字部５と、剥離部６と、台紙巻取り部７と、を有する。
【０００３】
ラベル連続体２は、その表面に剥離剤層などを有する帯状の台紙８と、その裏面に粘着剤層などを有するとともにこの台紙８に仮着する複数枚のラベル片９と、からなるもので、供給部３にロール状に装填され、移送路４に向かって帯状に繰り出される。
【０００４】
印字部５は、サーマルヘッド１０およびプラテンローラー１１を有し、その間にラベル連続体２を挟持し、プラテンローラー１１の回転駆動により、ラベル連続体２を移送路４上で剥離部６方向に移送するとともに、サーマルヘッド１０によりラベル片９に所定内容の情報を印字可能とする。
【０００５】
剥離部６は、剥離板１２を有し、この剥離板１２の先端部１２Ａでラベル連続体２の台紙８のみを転向させ、ラベル片９自身の剛性により台紙８からラベル片９を剥離可能とする。
【０００６】
台紙巻取り部７は、転向された台紙８を巻き取るもので、巻取り滑り機構（図示せず）を内蔵しているとともに、プラテンローラー１１の移送速度より巻取り速度をやや速くすることによって、プラテンローラー１１によるラベル連続体２の移送距離よりわずかに大きな巻取り距離を得て、剥離部６におけるラベル連続体２のゆるみが生じないようにしている。
【０００７】
なお、印字部５は、ラベル連続体２の移送部としても機能するものであるが、印字部５を設けない自動剥離装置などの場合には、図３中仮想線で示すような、一対の移送ローラー１３を設けるものとする。
【０００８】
こうした構成のラベル自動剥離装置１において、印字部５および台紙巻取り部７の駆動により、ラベル連続体２における台紙８のみを剥離板１２の先端部１２Ａで転向させ、ラベル片９を台紙８から剥離するようにしている。
【０００９】
しかしながら、ラベル自動剥離装置１の運転動作において剥離部６における剥離不良が発生する場合がある。
すなわち、図４は、剥離板１２の先端部１２Ａの拡大側面図であって、ラベル連続体２をラベル自動剥離装置１へのセット時、ラベル自動剥離装置１の動作開始時などにおいて、先端部１２Ａにおけるラベル連続体２(台紙８)にたるみが生じやすい際に、とくにラベル片９の裏面の剥離剤の剥離力が強い場合、あるいは台紙８の表面の剥離剤の剥離性が弱い場合には、ラベル片９が台紙８から剥離しないという剥離不良現象が発生する場合があるという問題がある。
【００１０】
さらに、ラベル連続体２のラベル片９のサイズによっては、あるいは印字部５における印字パターンによっては、移送路４において進行方向に一度順方向に移送印字したのち、わずかに逆方向に逆移送する必要がある場合があり、この逆移送の際にも、図４に示すように、台紙８が剥離板１２の先端部１２Ａに接触せずアール状に浮き上がって、剥離不良が発生してしまう場合があるという問題がある。
【００１１】
【特許文献１】特開２００７−３０９５９号公報
【発明の開示】
【発明が解決しようとする課題】
【００１２】
本発明は以上のような諸問題にかんがみなされたもので、ラベル連続体の剥離力が強い場合であっても、台紙からラベル片を安定して剥離可能とするラベル自動剥離装置を提供することを課題とする。
【００１３】
また本発明は、剥離部におけるラベル連続体の浮き上がりを防止して、剥離不良を防止可能なラベル自動剥離装置を提供することを課題とする。
【００１４】
また本発明は、剥離部における台紙のテンションを調整可能として、ラベル片の確実な剥離を実現可能としたラベル自動剥離装置を提供することを課題とする。
【課題を解決するための手段】
【００１５】
すなわち本発明は、剥離部から台紙巻取り部に向かう剥離部の下流側において、転向された台紙に所定の張力を常に付与可能とすることに着目したもので、帯状の台紙と、この台紙に仮着する複数枚のラベル片と、からなるラベル連続体を移送路に沿って移送するとともに、上記台紙のみを転向させる剥離部と、転向された上記台紙を巻き取る台紙巻取り部と、を有し、上記剥離部において上記台紙から上記ラベル片を剥離するためのラベル自動剥離装置であって、上記剥離部から上記台紙巻取り部に向かう上記剥離部の下流側にラベルテンション保持部材を設け、上記台紙巻取り部による上記台紙の巻取り動作に応じて上記台紙の巻取りテンションを保持可能としたことを特徴とするラベル自動剥離装置である。
【００１６】
上記台紙の巻取り動作中の移送路から外れる方向に向かって上記ラベルテンション保持部材を付勢する巻バネその他のバネ材などによる任意の付勢部材を設けることができる。
【００１７】
上記ラベルテンション保持部材は、上記台紙の巻取り動作中の移送路から外れる方向に向かってたわむような弾性を有することができる。
【００１８】
上記ラベルテンション保持部材は、上記台紙の巻取り動作を停止している運転停止時の第１の移送路と、上記台紙を巻き取る動作を行っている通常運転時の第２の移送路と、の間で上記台紙の上記巻取りテンションを一定のレベル範囲内に保持可能とすることができる。
【００１９】
上記剥離部の上方に、上記ラベル連続体を上記剥離部に向かって押さえ付け可能なラベル押さえ板を設けることができる。
【発明の効果】
【００２０】
本発明によるラベル自動剥離装置においては、剥離部から台紙巻取り部に向かう剥離部の下流側にラベルテンション保持部材を設けて、台紙巻取り部による台紙の巻取り動作に応じて台紙の巻取りテンションを保持可能としたので、とくに剥離部の先端部におけるラベル連続体ないし台紙のたるみを防止し、台紙からラベル片を確実に剥離可能として、安定した剥離性能を実現可能である。
【発明を実施するための最良の形態】
【００２１】
本発明は、剥離部において転向させた台紙に常に張力を付与可能なラベルテンション保持部材を設けたので、装置の運転状態によらず台紙における張力を保持可能であり、剥離部の先端部におけるラベル片の浮きをなくし、剥離部における台紙からのラベル片の剥離性能を安定化したラベル自動剥離装置を実現した。
【実施例】
【００２２】
つぎに本発明の実施例によるラベル自動剥離装置２０を図１および図２にもとづき説明する。ただし、図３および図４と同様の部分には同一符号を付し、その詳述はこれを省略する。
図１は、ラベル自動剥離装置２０の要部側面図であって、とくに台紙８の巻取り動作を停止している運転停止時の状態を示している。
ラベル自動剥離装置２０は、前述したラベル自動剥離装置１（図３）と同様に、ラベル連続体２の供給部３、移送路４、印字部５、剥離部６および台紙巻取り部７を備えている。
さらにラベル自動剥離装置２０は、剥離部６における前記剥離板１２に相当する部材として剥離板２１を有するとともに、剥離板２１の下流側に位置するラベルテンション保持部材（ラベルテンション保持用板２２）と、ラベルテンション保持部材２２を台紙８の方向に付勢する付勢部材（巻バネ２３）と、剥離部６の上方に位置してラベル連続体２を剥離部６に向かって押さえ付け可能なラベル押さえ板２４と、を設けている。
【００２３】
剥離板２１は、その先端部２１Ａに向かってこれを断面テーパー状に形成し、台紙８が転向する先端部２１Ａの最小厚さをたとえば０．５ｍｍ程度とし、転向角度をできるだけ大きく、かつ台紙８ないしラベル連続体２の浮き上がりの程度をできるだけ小さくすることができるようにしている。
【００２４】
ラベルテンション保持用板２２は、断面Ｖ字状の板材であって、ラベル連続体２(台紙８)の幅より広い幅を有するとともに、剥離部６から台紙巻取り部７に向かう剥離部６の下流側にこれを設け、台紙巻取り部７による台紙８の巻取り動作に応じて台紙８の巻取りテンションを所定レベル範囲内に調整ないし保持可能としている。
【００２５】
巻バネ２３は、台紙８の巻取り動作中の移送路４から外れる方向（図１において、台紙８を剥離板２１の先端部２１Ａを中心として時計方向に台紙８を押しやる方向）に向かってラベルテンション保持用板２２を付勢するもので、ラベルテンション保持用板２２の自由端２２Ａを剥離板２１から離間する方向に押しやって、自由端２２Ａが剥離板２１の先端部２１Ａと台紙巻取り部７との間で台紙８を外方に付勢するようにしている。
【００２６】
図２は、図１と同様のラベル自動剥離装置２０の要部側面図であって、とくに台紙８を巻き取る動作を行っている通常運転時の状態すなわち、台紙巻取り部７により台紙８を巻き取るときに台紙８のテンションが増加して巻バネ２３の付勢力に抗してラベルテンション保持用板２２が剥離板２１に接近するようにたわむ状態を示している。
図１および図２を参照して説明すると、ラベルテンション保持用板２２は、台紙巻取り部７による台紙８の巻取り動作中の移送路４から外れる方向（図１において、台紙８を剥離板２１の先端部２１Ａを中心として時計方向に台紙８を押しやる方向）に向かってたわむような弾性を有することにより、台紙８の巻取り動作を停止している運転停止時の第１の移送路４Ａ（図１）と、台紙８を巻き取る動作を行っている通常運転時の第２の移送路４Ｂ（図２）と、の間で台紙８の巻取りテンションを一定のレベル範囲内に保持可能としている。
【００２７】
ラベル押さえ板２４は、剥離板２１の上方にあってラベル連続体２が剥離板２１から上方に浮き上がらないようにこれを押さえ込んでいる。
【００２８】
こうした構成のラベル自動剥離装置２０において、台紙巻取り部７により巻き取られる台紙８は、剥離部６から台紙巻取り部７の間においてラベルテンション保持用板２２および巻バネ２３により、上記第１の移送路４Ａ（図１）から外方の上記第２の移送路４Ｂ（図２）に付勢されることになるので、台紙巻取り部７により下流方向に巻き取られるときに、ラベルテンション保持用板２２の自由端２２Ａを剥離板２１方向にたわませ、その反作用で巻バネ２３がラベルテンション保持用板２２を介して台紙８を剥離板２１の先端部２１Ａに接近するように押し付けるので、台紙８の張力を所定のレベル範囲内に保持可能であり、従来のように（図４参照）ラベル連続体２が先端部２１Ａの部分で浮き上がることなく、台紙８は先端部２１Ａの縁に沿って接触するように確実に転向することができる。
さらに、ラベル押さえ板２４がラベル連続体２を剥離板２１の上方から剥離板２１に向かって下方に押さえ付けているので、ラベル連続体２におけるラベル片９は、その剛性により、確実に台紙８から剥離することができる。
【００２９】
かくして、ラベルテンション保持用板２２(巻バネ２３)およびラベル押さえ板２４の動作により、台紙巻取り部７による台紙８の巻取り動作に応じて台紙８の巻取りテンションを保持可能とし、台紙８はラベル片９から安定して剥離され、剥離不良を解消することができる。
【図面の簡単な説明】
【００３０】
【図１】本発明の実施例によるラベル自動剥離装置２０の要部側面図であって、とくに台紙８の巻取り動作を停止している運転停止時の状態を示している。
【図２】同、図１と同様のラベル自動剥離装置２０の要部側面図であって、とくに台紙８を巻き取る動作を行っている通常運転時の状態を示している。
【図３】従来のラベル自動剥離装置１の概略側面図である。
【図４】同、剥離板１２の先端部１２Ａの拡大側面図である。
【符号の説明】
【００３１】
１  ラベル自動剥離装置（従来、図３）
２  ラベル連続体
３  供給部
４  移送路
４Ａ  台紙８の巻取り動作を停止している運転停止時の第１の移送路（図１）
４Ｂ  台紙８を巻き取る動作を行っている通常運転時の第２の移送路（図２）
５  印字部
６  剥離部
７  台紙巻取り部
８  台紙
９  ラベル片
１０  サーマルヘッド
１１  プラテンローラー
１２  剥離板
１２Ａ  剥離板１２の先端部
１３  一対の移送ローラー
２０  ラベル自動剥離装置（実施例、図１）
２１  剥離板
２１Ａ  剥離板２１の先端部
２２  ラベルテンション保持用板（ラベルテンション保持部材）
２２Ａ  ラベルテンション保持用板２２の自由端
２３  巻バネ（付勢部材）
２４  ラベル押さえ板
【図１】
2010006588.tif 000003
【図２】
2010006588.tif 000004
【図３】
2010006588.tif 000005
【図４】
2010006588.tif 000006